(57)【要約】【課題】  バッテリ端子を覆うバッテリカバーにおいて、バッテリカバーがガタ付きなく固定されるようにしながら、バッテリカバーを容易に取り外すことができるように構成する。【解決手段】  バッテリカバー１２の上部の裏面に一対のアーム部１６を備えて下方に延出し、一対のアーム部１６の下端部に互いに向かい合う爪部１６ａを備えて、一対のアーム部１６の爪部１６ａがバッテリ１側の固定部１０に係合することにより、バッテリカバー１２が固定されるように構成する。バッテリカバー１２の上部の表面における一対のアーム部１６の間の部分に押し部１４ａを備えて、押し部１４ａを押し操作すると、バッテリカバー１２の上部の弾性変形により一対のアーム部１６が開いて、一対のアーム部１６の爪部１６ａがバッテリ１側の固定部１０から離れるように構成する。【選択図】        図４
2006147415.tif 000002
【特許請求の範囲】
【請求項１】
バッテリ端子を覆うバッテリカバーにおいて、前記バッテリカバーの上部の裏面に所定間隔を置いて対向するように、一対のアーム部を備えて下方に延出し、前記一対のアーム部の下端部に互いに向かい合う爪部を備えて、
前記一対のアーム部の爪部がバッテリ側の固定部に係合することにより、前記バッテリカバーがバッテリに固定されるように構成すると共に、
前記バッテリカバーの上部の表面における一対のアーム部の間の部分に、押し部を備えて、
前記押し部を押し操作すると、前記バッテリカバーの上部の弾性変形により一対のアーム部が開いて、前記一対のアーム部の爪部がバッテリ側の固定部から離れるように構成してあるバッテリカバー。
【請求項２】
前記バッテリカバーの上部における一対のアーム部の間の部分に、薄肉部を形成してある請求項１に記載のバッテリカバー。
【発明の詳細な説明】
【技術分野】
【０００１】
本発明は、乗用車や商用車、バスやトラック等の車両において使用されるバッテリにおいて、バッテリ端子を覆うバッテリカバーの構造に関する。
【背景技術】
【０００２】
バッテリ端子を覆うバッテリカバーの構造として、例えば特許文献１に開示されているようなものがある。特許文献１では、バッテリカバーの上部の裏面に所定間隔を置いて対向するように、一対のアーム部（特許文献１の図７の２１）を備えて下方に延出し、一対のアーム部の下端部に互いに向かい合う爪部（特許文献１の図７の２０）を備えている。これにより、バッテリカバーの一対のアーム部の爪部をバッテリ側の固定部（特許文献１の図７の２３）に係合させることにより、バッテリカバーがバッテリに固定される。
【０００３】
【特許文献１】特開２０００−３４０２１３号公報（図７）
【発明の開示】
【発明が解決しようとする課題】
【０００４】
特許文献１において、バッテリカバーをバッテリに固定された状態から取り外す場合、バッテリカバーを強制的に上方に引き上げて取り外すことになるのであるが、バッテリカバーを強制的に上方に引き上げるのに伴って、バッテリカバーの一対のアーム部の爪部がバッテリ側の固定部から強制的に離されることになる。従って、バッテリカバーの一対のアーム部の爪部がバッテリ側の固定部から容易に離れるように、特許文献１ではバッテリカバーの一対のアーム部の爪部、及びバッテリ側の固定部が少し斜めに形成されている（特許文献１の図７参照）。
【０００５】
しかしながら、特許文献１のように、バッテリカバーの一対のアーム部の爪部、及びバッテリ側の固定部を少し斜めに形成すると、バッテリカバーの固定作用が少し甘くなることが考えられ、バッテリカバーがバッテリに固定された状態で少しガタ付くような状態になることが考えられる。
本発明はバッテリ端子を覆うバッテリカバーにおいて、バッテリカバーがバッテリにガタ付きなく固定されるようにしながら、バッテリカバーをバッテリに固定された状態から容易に取り外すことができるように構成することを目的としている。
【課題を解決するための手段】
【０００６】
［Ｉ］
（構成）
本発明の第１特徴は、バッテリカバーにおいて次のように構成することにある。
バッテリ端子を覆うバッテリカバーにおいて、バッテリカバーの上部の裏面に所定間隔を置いて対向するように、一対のアーム部を備えて下方に延出し、一対のアーム部の下端部に互いに向かい合う爪部を備えて、一対のアーム部の爪部がバッテリ側の固定部に係合することにより、バッテリカバーがバッテリに固定されるように構成する。バッテリカバーの上部の表面における一対のアーム部の間の部分に押し部を備えて、押し部を押し操作すると、バッテリカバーの上部の弾性変形により一対のアーム部が開いて、一対のアーム部の爪部がバッテリ側の固定部から離れるように構成する。
【０００７】
（作用）
本発明の第１特徴によると、バッテリ端子を覆うバッテリカバーにおいて、一対のアーム部の爪部がバッテリ側の固定部に係合することにより、バッテリカバーがバッテリに固定されている。この場合、バッテリカバーの上部の表面における一対のアーム部の間の部分に押し部が備えられているので、前述の状態で押し部を押し操作すると、バッテリカバーの上部が下向きに弾性変形するのであり、これに伴って一対のアーム部が互いに離れるように開いて、一対のアーム部の爪部がバッテリ側の固定部から離れる。
【０００８】
これにより、本発明の第１特徴によると、一対のアーム部の爪部がバッテリ側の固定部にガタ付きなく係合するように構成しても（特許文献１のように、バッテリカバーの一対のアーム部の爪部、及びバッテリ側の固定部を少し斜めに形成しなくても）、前述のように押し部を押し操作することにより、一対のアーム部の爪部をバッテリ側の固定部から確実に離すことができるのであり、この後に一対のアーム部の爪部に無理を掛けることなくバッテリカバーを上方に引き上げて取り外すことができる。
本発明の第１特徴によると、バッテリカバーの上部の表面に押し部が備えられているので、作業者は上方からバッテリーカバーを目視した場合に、押し部を容易に認識することができるのであり、間違いなく押し部を押し操作することができる。
【０００９】
（発明の効果）
本発明の第１特徴によると、バッテリ端子を覆うバッテリカバーにおいて、押し部を押し操作することにより、一対のアーム部の爪部をバッテリ側の固定部から確実に離すことができ、一対のアーム部の爪部に無理を掛けることなくバッテリカバーを上方に引き上げて取り外すことができる点、及び作業者は上方からバッテリーカバーを目視した場合に、押し部を容易に認識することができて、間違いなく押し部を押し操作することができる点により、バッテリーカバーの取り外しの作業性を向上させることができた。
【００１０】
本発明の第１特徴によると、一対のアーム部の爪部がバッテリ側の固定部にガタ付きなく係合するように構成することができるので（一対のアーム部の爪部がバッテリ側の固定部にガタ付きなく係合するように構成しても、一対のアーム部の爪部に無理を掛けることなくバッテリカバーを上方に引き上げて取り外すことができるので）、バッテリカバーをバッテリにガタ付きなく固定することができるようになった。
【００１１】
［ＩＩ］
（構成）
本発明の第２特徴は、本発明の第１特徴のバッテリカバーにおいて次のように構成することにある。
バッテリカバーの上部における一対のアーム部の間の部分に薄肉部を形成する。
【００１２】
（作用）
本発明の第２特徴によると、本発明の第１特徴と同様に前項［Ｉ］に記載の「作用」を備えており、これに加えて以下のような「作用」を備えている。
本発明の第２特徴によると、バッテリカバーの上部における一対のアーム部の間の部分に薄肉部が形成されているので、前項［Ｉ］に記載のように押し部を押し操作すると、バッテリカバーの上部が比較的抵抗少なく下向きに弾性変形するのであり、これに伴って一対のアーム部が互いに離れるように開いて、一対のアーム部の爪部がバッテリ側の固定部から離れるようになる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、押し部を押し操作する際に、バッテリカバーの上部が比較的抵抗少なく下向きに弾性変形するように構成することができ、一対のアーム部の爪部をバッテリ側の固定部から容易且つ確実に離すことができて、一対のアーム部の爪部に無理を掛けることなくバッテリカバーを上方に引き上げて取り外すことができるようになり、バッテリーカバーの取り外しの作業性を向上させることができた。
【発明を実施するための最良の形態】
【００１４】
図１及び図２はバッテリ１におけるバッテリポスト２の付近を示しており、バッテリポスト２に固定されるバッテリ端子３、ヒューズボックス４及びスタータ端子５が備えられている。バッテリ端子３は導電性の板材を折り曲げて構成されており、バッテリポスト２を挟み込むクランプ部６、クランプ部６の延出部６ａに亘って架設されたボルト７、クランプ部６の延出部６ａとは反対側に延出された接続部８、接続部８に上向きに固定されたボルト９等を備えて構成されている。
【００１５】
図１及び図２に示すように、ヒューズボックス４は複数のヒューズ素子（図示せず）、複数の入力端子部（図示せず）及び複数の出力端子部（図示せず）等を備え、これらを合成樹脂の箱体に収容して構成されており、入力端子部の端部から接続端子部１０（バッテリ１側の固定部に相当）が延出されている。接続端子部１０に開口１０ａが形成されて、接続端子部１０の一対の縁部１０ｂが下方に折り曲げられており、一対の縁部１０ｂの端部に切欠き部１０ｃが形成されている。
【００１６】
図１及び図２に示すように、バッテリ端子３の接続部８がヒューズボックス４の接続端子部１０の下側に当て付けられて、バッテリ端子３のボルト９がヒューズボックス４の接続端子部１０の開口１０ａに下側から挿入されており、スタータ端子５の開口５ａがバッテリ端子３のボルト９に上側から挿入されて、ナット１１によりバッテリ端子３の接続部８、ヒューズボックス４の接続端子部１０及びスタータ端子５が締め付けられて連結されている。バッテリ端子３のクランプ部６がバッテリポスト２に挿入されボルト７が締め付けられて、バッテリ端子３がバッテリポスト２に固定されており、これによってバッテリ端子３、ヒューズボックス４（接続端子部１０）及びスタータ端子５がバッテリポスト２に固定されている。
【００１７】
次に、バッテリ端子３を覆うバッテリカバー１２について説明する。
図５（イ）（ロ）（ハ）に示すように、バッテリカバー１２は合成樹脂により一体的に形成されており、箱状の基部１３、カバー部１４、基部１３とカバー部１４とを接続する細長い薄板状のヒンジ部１５等を備えて構成されている。図１及び図２に示すように、バッテリカバー１２の基部１３が、ヒューズボックス４の接続端子部１０を覆うようにヒューズボックス４に取り付けられており、バッテリカバー１２の基部１３がヒューズボックス４から取り外し自在に構成されている。
【００１８】
図５（イ）（ロ）（ハ）に示すように、バッテリカバー１２のカバー部１４は、上部及び上部の外周から延出された側壁部を備えた蓋状に形成されている。バッテリカバー１２のカバー部１４の上部の裏面に、一対のアーム部１６が一体的に形成されて下方に延出されて、一対のアーム部１６の下端部に互いに向かい合う爪部１６ａ（図１及び図３参照）が備えられている。バッテリカバー１２のカバー部１４の上部の裏面において一対のアーム部１６の間に、一対のアーム部１６を結ぶ線分（図５（イ）（ハ）の紙面上下方向）と交差するように（図５（イ）（ハ）の紙面左右方向）、縦長の凹部状の薄肉部１４ｂが形成されている。
【００１９】
図５（イ）（ロ）（ハ）に示すように、バッテリカバー１２のカバー部１４の上部の表面において、一対のアーム部１６の間の部分でバッテリカバー１２のカバー部１４の薄肉部１４ｂの真上部分に、押し部１４ａが形成されており、バッテリカバー１２のカバー部１４の押し部１４ａは、正面視（図２参照）で全体的に凹状に形成され、側面視（図３参照）で湾曲した凹状に形成されており、複数の横長の凸部が形成されている。バッテリカバー１２のカバー部１４の上部において、ヒンジ部１５とは反対側の端部に横長の凸部１４ｃが一体的に形成されている。バッテリカバー１２のカバー部１４の側壁部においてスタータ端子５の付近に、下方に延出される延出部１４ｄが形成されている。
【００２０】
図２及び図３に示す状態は、バッテリカバー１２の基部１３がヒューズボックス４に取り付けられて、バッテリカバー１２のカバー部１４が閉じ位置に操作されている状態であり、バッテリカバー１２のカバー部１４がバッテリ１に固定された状態である。この状態で、バッテリーカバー１２の一対のアーム部１６の爪部１６ａが、ヒューズボックス４の接続端子部１０の一対の切欠き部１０ｃに入り込んで係合しており、バッテリカバー１２のカバー部１４の側壁部がバッテリ１の上面に接する状態となっている。これによって、バッテリカバー１２のカバー部１４により、バッテリポスト２、バッテリ端子３、ヒューズボックス４の接続端子部１０及びスタータ端子５が覆われており、バッテリカバー１２のカバー部１４の延出部１４ｄによりスタータ端子５が覆われている。
【００２１】
図２及び図３に示す状態から図４に示すように、バッテリカバー１２のカバー部１４の押し部１４ａを上方から押し操作すると、バッテリカバー１２のカバー部１４の側壁部がバッテリ１の上面に接する状態となっていることにより、バッテリカバー１２のカバー部１４の上部が下向きに弾性変形しながら、バッテリカバー１２のカバー部１４の側壁部が少し横側（図４の紙面左右方向）に開こうとするのであり、これによってバッテリカバー１２の一対のアーム部１６が互いに離れるように横側（図４の紙面左右方向）に開く。
【００２２】
この場合、図４に示すように、バッテリカバー１２のカバー部１４の薄肉部１４ｂにより、バッテリカバー１２のカバー部１４の上部が比較的抵抗少なく下向きに弾性変形するのであり、これに伴ってバッテリカバー１２の一対のアーム部１６が互いに離れるように横側（図４の紙面左右方向）に開いて、バッテリカバー１２の一対のアーム部１６の爪部１６ａが、ヒューズボックス４の接続端子部１０の一対の切欠き部１０ｃから離れる。
【００２３】
この後、図２の二点鎖線に示すように、バッテリカバー１２のカバー部１４の凸部１４ｃに指を掛けながら、バッテリカバー１２のヒンジ部１５を支点として、バッテリカバー１２のカバー部１４を上方に持ち上げることによって、バッテリカバー１２のカバー部１４を開き位置に操作することができる。バッテリカバー１２のカバー部１４が開き位置に操作されている状態において、バッテリカバー１２のカバー部１４を下方に押し操作すれば、バッテリカバー１２の一対のアーム部１６の爪部１６ａが、ヒューズボックス４の接続端子部１０の一対の切欠き部１０ｃに自動的に入り込んで係合し、バッテリカバー１２のカバー部１４が閉じ位置となる。
【００２４】
［発明の実施の別形態］
前述の［発明を実施するための最良の形態］において、バッテリカバー１２のカバー部１４の上部の裏面に薄肉部１４ｂを形成するのではなく、バッテリカバー１２のカバー部１４の上部の表面において、押し部１４ａに薄肉部１４ｂを形成してもよい。
【００２５】
前述の［発明を実施するための最良の形態］において、図４に示すように、バッテリカバー１２のカバー部１４の押し部１４ａを上方から押し操作すると、バッテリカバー１２のカバー部１４の側壁部がバッテリ１の上面に接する状態となっていることによって、バッテリカバー１２のカバー部１４の上部が下向きに弾性変形するように構成するのではなく、バッテリ端子３又はヒューズボックス４の接続端子部１０から上方に凸部（図示せず）を延出し、この凸部をバッテリカバー１２のカバー部１４の裏面に接当させることによって、バッテリカバー１２のカバー部１４の押し部１４ａを上方から押し操作すると、バッテリカバー１２のカバー部１４の上部が下向きに弾性変形しながら、バッテリカバー１２の一対のアーム部１６が互いに離れるように横側（図４の紙面左右方向）に開くように構成してもよい。
【００２６】
前述の［発明を実施するための最良の形態］において、バッテリカバー１２の基部１３及びヒンジ部１５を廃止して、カバー部１４のみによってバッテリカバー１２を構成してもよい。このように構成するとバッテリカバー１２（カバー部１４）をバッテリ１から完全に取り外すことができる。
【００２７】
前述の［発明を実施するための最良の形態］において、バッテリカバー１２の一対のアーム部１６の爪部１６ａが、ヒューズボックス４の接続端子部１０の一対の切欠き部１０ｃではなく、バッテリ端子３やバッテリ１の上面に係合して、バッテリカバー１２のカバー部１４がバッテリ１に固定（閉じ位置）されるように構成してもよい。
【図面の簡単な説明】
【００２８】
【図１】バッテリカバー、バッテリ端子、ヒューズボックス、スタータ端子及びバッテリポストの付近の全体斜視図
【図２】バッテリカバー、バッテリ端子、ヒューズボックス、スタータ端子及びバッテリポストの付近の縦断正面図
【図３】バッテリカバーのカバー部を閉じ位置に操作している状態でのバッテリカバーのカバー部の付近の縦断側面図
【図４】図３に示す状態からバッテリカバーのカバー部の押し部を上方から押し操作した状態を示す縦断側面図
【図５】（イ）バッテリカバーの平面図、（ロ）バッテリカバーの正面図、（ハ）バッテリカバーの底面図
【符号の説明】
【００２９】
３      バッテリ端子
１０    バッテリ側の固定部
１２    バッテリカバー
１４ａ  押し部
１４ｂ  薄肉部
１６    一対のアーム部
１６ａ  一対のアーム部の爪部
【図１】
2006147415.tif 000003
【図２】
2006147415.tif 000004
【図３】
2006147415.tif 000005
【図４】
2006147415.tif 000006
【図５】
2006147415.tif 000007